(57)【要約】  本発明に従い全周波数帯域を複数のサブ帯域に分割する無線通信システムにおけるチャネルの構成及び運用方法は、上記複数のサブ帯域のうち、各々少なくとも１つのサブ帯域を選択して、上記選択した少なくとも１つのサブ帯域を用いて複数の適応的変調及びコーディング（Adaptive Modulation and Coding：ＡＭＣ）チャネルを割り当てる過程と、上記複数のＡＭＣチャネルの中から選択された、少なくとも１つのＡＭＣチャネルの副搬送波を予め決まったパターンに従って穿孔する過程と、上記穿孔された副搬送波を用いるダイバーシティーチャネルを割り当てる過程とを含む。
2008541548.tif 000002
【特許請求の範囲】
【請求項１】
全周波数帯域を複数のサブ帯域に分割する無線通信システムにおけるチャネルの構成及び運用方法であって、
前記複数のサブ帯域のうち、少なくとも１つのサブ帯域を選択し、前記選択された少なくとも１つのサブ帯域を用いて、適応的変調及びコーディング（Adaptive Modulation and Coding：ＡＭＣ）チャネル各々を割り当てる過程と、
前記ＡＭＣチャネルのうち、少なくとも１つのＡＭＣチャネルの副搬送波を予め決まったパターンに従って穿孔する過程と、
前記穿孔された副搬送波を用いてダイバーシティーチャネルを割り当てる過程と、
を含むことを特徴とする無線通信システムにおけるチャネルの構成及び運用方法。
【請求項２】
前記ＡＭＣチャネルと前記ダイバーシティーチャネルは、１つのタイムスロット内で共に送信されることを特徴とする請求項１記載の無線通信システムにおけるチャネルの構成及び運用方法。
【請求項３】
前記無線通信システムが直交周波数分割多重システム（ＯＦＤＭ）の場合、
前記ＡＭＣチャネルと前記ダイバーシティーチャネルは、１つのＯＦＤＭシンボル区間内で共に送信されることを特徴とする請求項１記載の無線通信システムにおけるチャネルの構成及び運用方法。
【請求項４】
前記ＡＭＣチャネルと前記ダイバーシティーチャネルを構成する各副搬送波の送信情報に対する制御チャネルを割り当てる過程を更に含むことを特徴とする請求項１記載の無線通信システムにおけるチャネルの構成及び運用方法。
【請求項５】
前記ダイバーシティーチャネルが割り当てられる前記ＡＭＣチャネルの個数は、前記ダイバーシティーチャネルを受信する端末の個数に反比例することを特徴とする請求項１記載の無線通信システムにおけるチャネルの構成及び運用方法。
【請求項６】
前記ダイバーシティーチャネルが割り当てられる前記ＡＭＣチャネルの個数の増加は、各ＡＭＣチャネルで穿孔される副搬送波の個数の減少をもたらすことを特徴とする請求項５記載の無線通信システムにおけるチャネルの構成及び運用方法。
【請求項７】
全周波数帯域を複数のサブ帯域に分割する無線通信システムにおける基地局のチャネル送信方法であって、
前記複数のサブ帯域の副搬送波のうち、ダイバーシティーチャネルに割り当てられる副搬送波を決める過程と、
前記複数のサブ帯域のうち、少なくとも１つのサブ帯域を各々含み、前記ダイバーシティーチャネルに割り当てられた副搬送波を除外するように複数の適応的変調及びコーディング（Adaptive Modulation and Coding：ＡＭＣ）チャネルに割り当てられる副搬送波を決める過程と、
各端末から受信されたダウンリンクのチャネル品質情報（Channel Quality Information：ＣＱＩ）を用いて、各ＡＭＣチャネルに対する変調方式及びコーディング方式を各々決める過程と、
前記ＡＭＣチャネルと前記ダイバーシティーチャネルを共に送信する過程と、
を含むことを特徴とする無線通信システムにおける基地局のチャネル送信方法。
【請求項８】
前記ＡＭＣチャネルと前記ダイバーシティーチャネルは、１つのタイムスロット内で共に送信されることを特徴とする請求項７記載の無線通信システムにおける基地局のチャネル送信方法。
【請求項９】
前記無線通信システムが直交周波数分割多重システム（ＯＦＤＭ）の場合、前記ＡＭＣチャネルと前記ダイバーシティーチャネルは、１つのＯＦＤＭシンボル区間内で共に送信されることを特徴とする請求項７記載の無線通信システムにおける基地局のチャネル送信方法。
【請求項１０】
制御チャネルを介して前記ＡＭＣチャネルと前記ダイバーシティーチャネルを構成する各副搬送波の情報を送信する過程を更に含むことを特徴とする請求項７記載の無線通信システムにおける基地局のチャネル送信方法。
【請求項１１】
前記ダイバーシティーチャネルが割り当てられる前記ＡＭＣチャネルの個数は、前記ダイバーシティーチャネルを受信する端末の個数に反比例することを特徴とする請求項７記載の無線通信システムにおける基地局のチャネル送信方法。
【請求項１２】
前記ダイバーシティーチャネルが割り当てられる前記ＡＭＣチャネルの個数の増加は各ＡＭＣチャネルで穿孔される副搬送波の個数の減少をもたらすことを特徴とする請求項１１記載の無線通信システムにおける基地局のチャネル送信方法。
【請求項１３】
全周波数帯域を複数のサブ帯域に分割する無線通信システムにおける基地局の送信装置であって、
前記複数のサブ帯域の副搬送波のうち、予め決まった副搬送波を選択し、選択された副搬送波を用いてダイバーシティーチャネルを割り当てるダイバーシティーチャネル割り当て部と、
各適応的変調及びコーディング（Adaptive Modulation and Coding：ＡＭＣ）チャネルが前記複数のサブ帯域のうち、少なくとも１つのサブ帯域を含むように複数のＡＭＣチャネルを割り当てるＡＭＣチャネル割り当て部と、
前記ＡＭＣチャネル割り当て部が前記ダイバーシティチャネルに割り当てられた副搬送波を除いて、前記複数のＡＭＣチャネルに割り当てられる副搬送波を決めるように、前記ＡＭＣチャネル割り当て部を制御する制御部と、
各端末から受信されたダウンリンクのチャネル品質情報（Channel Quality Information：ＣＱＩ）を用いて、前記各ＡＭＣチャネルに対する変調方式及びコーディング方式を各々決める手段と、
前記ＡＭＣチャネルと前記ダイバーシティーチャネルを共に送信する送信部と、
を含むことを特徴とする無線通信システムにおける基地局の送信装置。
【請求項１４】
前記送信部は、前記ＡＭＣチャネルと前記ダイバーシティーチャネルを１つのタイムスロット内で共に送信することを特徴とする請求項１３記載の無線通信システムにおける基地局の送信装置。
【請求項１５】
前記無線通信システムが直交周波数分割多重システム（ＯＦＤＭ）の場合、前記送信部は、前記ＡＭＣチャネルと前記ダイバーシティーチャネルを１つのＯＦＤＭシンボル区間内で共に送信することを特徴とする請求項１３記載の無線通信システムにおける基地局の送信装置。
【請求項１６】
制御チャネルを介して前記ＡＭＣチャネルと前記ダイバーシティーチャネルを構成する各副搬送波の情報を制御チャネルを介して送信する手段を更に含むことを特徴とする請求項１３記載の無線通信システムにおける基地局の送信装置。
【請求項１７】
前記ダイバーシティーチャネルが割り当てられる前記ＡＭＣチャネルの個数は、前記ダイバーシティーチャネルを受信する端末の個数に反比例することを特徴とする請求項１３記載の無線通信システムにおける基地局の送信装置。
【請求項１８】
前記ダイバーシティーチャネルが割り当てられる前記ＡＭＣチャネルの個数の増加は、各ＡＭＣチャネルで穿孔される副搬送波の個数の減少をもたらすことを特徴とする請求項１７記載の無線通信システムにおける基地局の送信装置。
【請求項１９】
全周波数帯域を複数のサブ帯域に分割する無線通信システムにおける端末のチャネル受信方法であって、
予め決まった規則に従ってダウンリンクのチャネル品質を測定してチャネル品質情報（Channel Quality Information：ＣＱＩ）を生成し、前記ＣＱＩを基地局へ送信する過程と、
前記基地局がダイバーシティーチャネルと適応的変調及びコーディング（Adaptive Modulation and Coding：ＡＭＣ）チャネルを共に送信する無線環境で制御チャネルから各チャネルを個別的に復調するための制御情報を受信する過程と、
前記受信された制御情報に基づいて、前記ダイバーシティーチャネル、または前記ＡＭＣチャネルを受信するか否かを決める過程と、
前記ダイバーシティーチャネル、または前記ＡＭＣチャネルを受信することに決める場合、前記制御情報で定義された変調方式及びコーディング方式に従って、前記ダイバーシティーチャネル、または前記ＡＭＣチャネルを復調する過程と、
を含むことを特徴とする無線通信システムにおける端末のチャネル受信方法。
【請求項２０】
全周波数帯域を複数のサブ帯域に分割する無線通信システムにおける端末の受信装置であって、
前記装置は、予め決まった規則に従ってダウンリンクのチャネル品質を測定してチャネル品質情報（Channel Quality Information：ＣＱＩ）を生成し、そのＣＱＩを基地局へ送信するチャネル品質情報送信機と、
前記基地局がダイバーシティーチャネルと適応的変調及びコーディング（Adaptive Modulation and Coding：ＡＭＣ）チャネルを共に送信する無線環境で制御チャネルから各チャネルを個別的に復調するための制御情報を受信する制御チャネル復調器と、
前記ダイバーシティーチャネル、または前記ＡＭＣチャネルを受信する必要がある場合、前記受信された制御情報で定義された変調方式及びコーディング方式に従って、前記ダイバーシティーチャネル、または前記ＡＭＣチャネルを復調するデータチャネル復調器と、
を含むことを特徴とする無線通信システムにおける端末の受信装置。
【請求項２１】
全周波数帯域を複数のサブ帯域に分割する無線通信システムの基地局におけるチャネルを構成し運用する装置であって、
前記複数のサブ帯域のうち、少なくとも１つのサブ帯域を選択し、選択された少なくとも１つのサブ帯域を用いて、各適応的変調及びコーディング（Adaptive Modulation and Coding：ＡＭＣ）チャネルを割り当てる選択手段と、
予め決まったパターンに従って前記ＡＭＣチャネルのうち、少なくとも１つの副搬送波を穿孔する制御手段と、
前記穿孔された副搬送波を用いてダイバーシティーチャネルを割り当てるチャネル割り当て手段と、
を含むことを特徴とする無線通信システムの基地局におけるチャネルを構成し運用する装置。
【発明の詳細な説明】
【技術分野】
【０００１】
本発明は、一般に、多重接続方式を使用する無線通信システムにおけるチャネルの構成と運用方法及びシステムに関し、特に直交周波数分割多重（Orthogonal Frequency Division Multiplexing：ＯＦＤＭ）方式を用いる通信システムにおいて、資源を割り当てて、その割り当てられた資源にデータを送信するための方法及びその運用システムに関する。
【背景技術】
【０００２】
移動通信システムにおいて、有無線チャネルにおいて、高速のデータ送信に対するＯＦＤＭ方式の活用に対する研究が活発に進行している。上記ＯＦＤＭ方式は、マルチ−キャリヤ（Multi-Carrier）を使用してデータを送信する技術であって、直列に入力されるシンボル（Symbol）列を並列に変換して、送信の前にこれらの各々を、相互直交性を持つ多数の副搬送波（sub-carrier）に変調するマルチキャリヤ変調（Multi Carrier Modulation：ＭＣＭ）方式の１つである。
【０００３】
このようなマルチキャリヤ変調方式は、１９５０年代後半の軍用ＨＦラジオ（radio）に初めて適用されたし、ＯＦＤＭ方式は、１９７０年代から発展し始めたが、マルチキャリヤ同士の間の直交変調の具現は困難な問題であったので、通信システムの適用に限界があった。しかしながら、１９７１年Weinsteinらが上記ＯＦＤＭ方式を使用する変復調は、ＤＦＴ（Discrete Fourier Transform）を用いて効率的に処理が可能であることを発表するにつれて、ＯＦＤＭ方式に対する技術開発が急速に発展した。また、保護区間（guard interval）を使用し、保護区間に循環前置シンボル（Cyclic Prefix：ＣＰ）を挿入する方法が最近に知られるにつれて、多重経路遅延拡散（delay spread）効果を減少させることになった。
【０００４】
上記ＯＦＤＭ方式は、例えばデジタルオーディオ放送（Digital Audio Broadcasting：ＤＡＢ）とデジタルテレビ、無線近距離通信網（Wireless Local Area Network：ＷＬＡＮ）、そして無線非同期転送モード（Wireless Asynchronous Transfer Mode：ＷＡＴＭ）を含むデジタル送信技術に更に適用されている。上記ＯＦＤＭ方式の具現は、高度のハードウェア的な複雑度（Complexity）により、以前に広く使われていない高速フーリエ変換（Fast Fourier Transform：ＦＦＴ）と逆高速フーリエ変換（Inverse Fast Fourier Transform：ＩＦＦＴ）を含んだ各種デジタル信号処理技術が発展するにつれて可能になった。上記ＯＦＤＭ方式は、従来の周波数分割多重（Frequency Division Multiplexing：ＦＤＭ）方式と似ているが、送信中に複数の副搬送波同士の間の直交性（Orthogonality）を維持することによって、高速データ送信の際、最適の送信効率が得られる特徴を有する。
【０００５】
また、上記ＯＦＤＭ方式は、多重経路フェーディング（multi-path fading）に強い特性があるので、高速データ送信の際、最適の送信効率を得ることができる。のみならず、上記ＯＦＤＭ方式は、周波数スペクトルを重畳して使用するので、周波数使用が高効率的であり、周波数選択的フェーディング（frequency selective fading）と多重経路フェーディングに強い長所がある。また、ＯＦＤＭ方式は、保護区間を用いてシンボル間干渉（Inter Symbol Interference：ＩＳＩ）の影響を減らすことができ、ハードウェア的に等化器（equalizer）の構造を簡単に設計することができ、インパルス（impulse）性ノイズに強いという長所を持っているので、通信システム構造に積極的に活用されている趨勢である。
【０００６】
無線通信において、高速、高品質のデータサービスを阻害する要因は、概してチャネルの環境による。無線通信において、上記チャネル環境は、付加的白色ガウシアンノイズ（Additive White Gaussian Noise：ＡＷＧＮ）の他にもフェーディング（fading）現象により発生する受信信号の電力変化、シャドーイング（Shadowing）、端末機の移動及び頻繁な速度変化によるドップラー（doppler）効果、他ユーザ及び多重経路（multipath）信号による干渉などにより、よく変わることになる。したがって、高速、高品質のデータサービスをサポートするには、無線通信システムにおける前述した阻害要因を効果的に克服することを必要とする。
【０００７】
通常のＯＦＤＭシステムにおいて、上記フェーディング現象を克服するために使われる送信技術は、次の通り２種類に大別することができる。その１つは、適応的変調及びコーディング（Adaptive Modulation and Coding：ＡＭＣ）技術であり、もう１つは、ダイバーシティー（Diversity）技術である。
【０００８】
まず、ＡＭＣ技術について説明する。
【０００９】
上記ＡＭＣ技術は、ダウンリンク（downlink）のチャネル変化に従い変調方式とコーディング方式を適応的に調整する方式である。一般に、上記ダウンリンクのチャネル品質情報（Channel Quality Information：ＣＱＩ）は、端末機で受信信号の信号対ノイズ比（Signal to Noise Ratio：ＳＮＲ）を測定して検出することができる。即ち、端末機はダウンリンクのＣＱＩをアップリンク（uplink）を通じて基地局へフィードバック（feedback）送信する。上記基地局は、上記端末機からフィードバックされる上記ダウンリンクのＣＱＩで上記ダウンリンクのチャネル状態を推定する。上記基地局は、上記推定されたチャネル状態に従い変調方式及びコーディング方式を調整することになる。
【００１０】
上記ＡＭＣ技術は、一般的に良好なチャネル状態に対し、高次変調方式と高い符号率を適用し、不良チャネル状態に対し、低次変調方式と低い符号率を用いる。このように、ＡＭＣ方式は、高速電力制御に依存していた既存の方式に比べて、チャネルの時変（time-variable）特性に対する適応能力を高めることによって、システムの平均性能を向上させることになる。
【００１１】
図１は、従来のＯＦＤＭシステムにおけるＡＭＣ動作の好ましい一例を示す図である。
【００１２】
図１を参照すると、参照符号１０１は１つの副搬送波を表し、参照符号１０２は１つのＯＦＤＭシンボルを表す。図１において、横軸は時間軸を表し、縦軸は周波数軸を表す。図１に示すように、ＡＭＣ技術を使用するＯＦＤＭシステムでは、通常的に、全周波数帯域をＮ個の副搬送波グループ（subcarrier group 1、…、subcarrier group N）に分けて、各副搬送波グループ毎にＡＭＣ動作を遂行する。ここで、１つの副搬送波グループを１つのＡＭＣサブ帯域（sub-band）と称することにする。即ち、参照符号１０３と表示される副搬送波グループ１はＡＭＣサブ帯域１と称し、参照符号１０４と表示される副搬送波グループＮをＡＭＣサブ帯域Ｎと称する。従来のＯＦＤＭシステムにおいて、スケジューリングは参照符号１０５と表示されるように、複数個のＯＦＤＭシンボル単位でなされる。
【００１３】
前述したように、従来のＯＦＤＭシステムにおけるＡＭＣ動作は、ＡＭＣサブ帯域毎に独立的に行われる。各端末は、基地局へ各サブ帯域別ＣＱＩ情報をフィードバックし、上記基地局は端末から各サブ帯域に対するＣＱＩ情報に従い各サブ帯域に対するスケジューリングを行って、各サブ帯域別にユーザデータを送信する。上記好ましいスケジューリング過程において、上記基地局は各サブ帯域別に最上のチャネル品質を持つ端末を選択し、選択された端末へデータを送信することにより、システムの容量は最大化することができる。
【００１４】
前述したＡＭＣ技術において、１つの端末に対するデータを送信するために必要な複数の副搬送波は、互いに隣接すればするほど良い。その理由は、多重経路（multi-path）無線チャネルによって、周波数領域で周波数選択度（frequencyselectivity）が発生する場合、互いに隣接した副搬送波同士はチャネル応答の強さが似ているが、遠く離れている副搬送波同士はチャネル応答の強さが格段に変わることがあるためである。即ち、上記ＡＭＣ動作は、チャネル応答の良い副搬送波を集めて、これらを通じてデータを送信することによって、システムの容量を極大化するものであるので、チャネル応答の良い隣接した複数個の副搬送波を集めて、これらを用いてデータを送信できる構造が必要である。
【００１５】
上記ＡＭＣ技術は、特定ユーザに送信される通信トラフィックに適している。なぜならば、複数のユーザに送信されるチャネル、例えば、放送チャネルや共通制御情報チャネルは、ある一人のユーザのチャネル状態に適応することが好ましくないためである。また、ＡＭＣ技術は、遅延（Delay）に余り敏感でない通信トラフィックの送信に適している。なぜならば、上記ＡＭＣ技術は、基本的に良いチャネル状態にある端末を選んで、その端末のみにデータを送信するようにする方式であるので、遅延に敏感な通信トラフィック、例えば、ＶｏＩＰ（Voice over IP）や画像ミーティングのようなリアルタイム通信トラフィックに対して、該ユーザはチャネル状態が更に良くなるまで、続けて待つことができないためである。リアルタイム通信トラフィックサービスを受けているユーザに対しては、最小の遅延を保証してくれるために、チャネルがよくない状況でも該ユーザにデータを送信してくれる必要がある。
【００１６】
第２に、ダイバーシティー技術について説明する。
【００１７】
前述したように、上記ＡＭＣ技術は、放送チャネルや共通制御チャネルのように、特定ユーザのチャネル環境に適応してはいけないリアルタイム通信トラフィックのように、遅延に敏感な通信トラフィックには適していない。しかしながら、ダイバーシティー技術は、多数のユーザが共通に用いる通信トラフィック、または遅延に敏感な通信トラフィックの送信に適合した通信技術の１つである。
【００１８】
一般に、無線チャネルは時間領域で劣悪なチャネル環境変化を経る。周波数領域でも、上記無線チャネルは、ある帯域では良好な状態であり、他の帯域では不良な状態を反復的に有する。このようなチャネル環境で、特定ユーザのチャネルに適応してデータを送信できない場合には、送信されるデータを受信する各端末は、時には良好なチャネル状態でデータを受信したり、時には不良なチャネル状態でデータを受信する現象を避けることができない。上記ダイバーシティー技術は、このような無線環境または通信トラフィックに適している。したがって、ダイバーシティー技術は、できる限り、次のような理由により送信通信トラフィックが均等に良好なチャネルと不良なチャネルを経るようにすることを目的とする。端末が不良なチャネル状態で特定パケットを受信すると、上記受信パケットを成功的に復号化することは困難である。しかしながら、受信性能の立場から見て、１つのパケットに含まれた変調シンボルが不良チャネルを経るシンボルと良好チャネルを経る他のシンボルを含めば、上記端末は良好チャネルを経るシンボルを用いてパケット復調を遂行することができる。
【００１９】
図２は、従来のＯＦＤＭシステムにおいて、上記ダイバーシティー技術を適用してユーザデータあるいは共通制御情報を送信する好ましい１つの方法を示す図である。
【００２０】
図２では、ダウンリンクデータが１つの基地局から互いに異なる３個の端末であるＭＳ（Mobile Station）１、ＭＳ２、ＭＳ３へ送信されていると仮定する。図２からダイバーシティー方式によりデータが送信される場合、一人のユーザに送信されるデータは、周波数領域で、そして、時間領域で、散らばっていることが分かる。より詳細に説明すると、参照符号２０１と表示されたＯＦＤＭシンボル区間の間に送信されるＭＳ１のデータシンボルは、３個の副搬送波を占有している。典型的に、そのシンボルの位置は周波数領域でのダイバーシティーを得るために全帯域に亘って散らばっており、その特定位置は基地局と端末との間に予め約束されている。
【００２１】
また、ＯＦＤＭシンボル区間２０１の間に、ＭＳ１へ送信されるシンボルは、参照符号２０２と表示されたＯＦＤＭシンボル区間の間に、ＭＳ１に送信されるシンボルの位置と互いに異なることが分かる。これは、時間領域でのダイバーシティー効果を極大化するために、全てのＯＦＤＭシンボル毎に、あるいは全ての予め決まった送信単位に対してデータシンボルが送信される副搬送波を変更するものである。このような方法を周波数ホッピング（Frequency Hopping）と称し、ダイバーシティー技術を適用する多くのＯＦＤＭシステムでは周波数ホッピング方法を適用する。
【００２２】
前述したように、上記ＯＦＤＭシステムにおいて、フェーディング現象を克服するために使われるＡＭＣとダイバーシティー技術は、その特徴だけでなく、その適切な通信トラフィックタイプにおいて互いに正反対である。したがって、種々の技術のうち、どれか１つの技術のみを適用するより、上記２つの技術を適切に結合して通信システムを運営することが必要である。
【発明の開示】
【発明が解決しようとする課題】
【００２３】
本発明の好ましい実施形態は、少なくとも上記の問題点及び／又は不利な点を解決し、少なくとも次に説明する長所を提供する。したがって、本発明は高速の無線マルチメディアサービスを提供する通信システムにおいて、ダイバーシティー技術とＡＭＣ技術を効率良く、共に使用できるようにする送受信装置とその運用方法を提供する。
【００２４】
また、本発明の上記好ましい実施形態は、高速の無線マルチメディアサービスを提供する通信システムにおいて、適応的なチャネルの構成方法を提供し、その方法によりデータを送受信するシステムを提供する。
【課題を解決するための手段】
【００２５】
本発明の好ましい一実施形態に従い全周波数帯域を複数のサブ帯域に分割する無線通信システムにおけるチャネルの構成及び運用方法を提供する。上記の方法は、上記複数のサブ帯域のうち、少なくとも１つのサブ帯域を選択し、その選択した少なくとも１つのサブ帯域を用いて、適応的変調及びコーディング（Adaptive Modulation and Coding：ＡＭＣ））チャネルの各々を割り当てる過程と、上記ＡＭＣチャネルのうち、少なくとも１つのＡＭＣチャネルの副搬送波を予め決まったパターンに従って穿孔する過程と、上記穿孔された副搬送波を用いてダイバーシティーチャネルを割り当てる過程とを含むことを特徴とする。
【００２６】
本発明の好ましい一実施形態に従い全周波数帯域を複数のサブ帯域に分割する無線通信システムにおける基地局によるチャネル送信方法を提供する。上記の方法は、複数のサブ帯域の副搬送波のうち、ダイバーシティーチャネルに割り当てられる副搬送波を決定する過程と、上記複数のサブ帯域のうち、少なくとも１つのサブ帯域を各々含み、上記ダイバーシティーチャネルに割り当てられた副搬送波を除外するように複数のＡＭＣチャネルに割り当てられる副搬送波を決める過程と、各端末から受信されたダウンリンクのＣＱＩを用いて、各ＡＭＣチャネルに対する変調方式及びコーディング方式を各々決める過程と、上記ＡＭＣチャネルと上記ダイバーシティーチャネルを共に送信する過程とを含むことを特徴とする。
【００２７】
本発明の好ましい一実施形態に従い全周波数帯域を複数のサブ帯域に分割する無線通信システムにおける基地局の送信装置を提供する。上記の装置は、複数のサブ帯域の副搬送波のうち、予め決まった副搬送波を選択し、選択された副搬送波を用いてダイバーシティーチャネルを割り当てるダイバーシティーチャネル割り当て部と、各ＡＭＣチャネルが上記複数のサブ帯域のうち、少なくとも１つのサブ帯域を含むように複数のＡＭＣチャネルを割り当てるＡＭＣチャネル割り当て部と、上記ＡＭＣチャネル割り当て部が上記ダイバーシティチャネルに割り当てられた副搬送波を除いて、上記複数のＡＭＣチャネルに割り当てられる副搬送波を決めるように、上記ＡＭＣチャネル割り当て部を制御する制御部と、各端末から受信されたダウンリンクのＣＱＩを用いて、各ＡＭＣチャネルに対する変調方式及びコーディング方式を決める手段と、上記ＡＭＣチャネルと上記ダイバーシティーチャネルを共に送信する送信部とを含むことを特徴とする。
【００２８】
本発明の好ましい一実施形態に従い全周波数帯域を複数のサブ帯域に分割する無線通信システムにおける端末によるチャネル受信方法を提供する。上記の方法は、予め決まった規則に従ってダウンリンクのチャネル品質を測定してＣＱＩを生成し、上記ＣＱＩを基地局へ送信する過程と、上記基地局がダイバーシティーチャネルとＡＭＣチャネルを共に送信する無線環境で制御チャネルから各チャネルを個別的に復調するための制御情報を受信する過程と、上記受信された制御情報に基づいて、上記ダイバーシティーチャネル、または上記ＡＭＣチャネルを受信するか否かを決める過程と、上記ダイバーシティーチャネル、または上記ＡＭＣチャネルを受信することに決める場合、上記制御情報で定義された変調方式及びコーディング方式に従って上記ダイバーシティーチャネル、または上記ＡＭＣチャネルを復調する過程とを含むことを特徴とする。
【００２９】
本発明の好ましい一実施形態に従い全周波数帯域を複数のサブ帯域に分割する無線通信システムにおける端末の受信装置を提供する。上記の装置は、予め決まった規則に従ってダウンリンクのチャネル品質を測定してＣＱＩを生成し、そのＣＱＩを基地局へ送信するチャネル品質情報送信手段と、上記基地局がダイバーシティーチャネルとＡＭＣチャネルを共に送信する無線環境で制御チャネルから各チャネルを個別的に復調するための制御情報を受信する制御チャネル復調手段と、上記ダイバーシティーチャネル、または上記ＡＭＣチャネルを受信する必要がある場合、上記受信された制御情報で定義された変調方式及びコーディング方式に従って上記ダイバーシティーチャネル、または上記ＡＭＣチャネルを復調するデータチャネル復調手段とを含むことを特徴とする。
【００３０】
本発明の好ましい一実施形態に従い全周波数帯域を複数のサブ帯域に分割する無線通信システムの基地局におけるチャネルを構成し運用する装置が提供される。上記装置は、上記複数のサブ帯域のうち、少なくとも１つのサブ帯域を選択し、選択された少なくとも１つのサブ帯域を用いて、各ＡＭＣチャネルを割り当てる選択手段と、予め決まったパターンに従って上記ＡＭＣチャネルのうち、少なくとも１つの副搬送波を穿孔する制御手段と、上記穿孔された副搬送波を用いてダイバーシティーチャネルを割り当てるチャネル割り当て手段とを含むことを特徴とする。
【００３１】
本発明の他の目的、利点、そして著しい特徴は、添付した図面、及び詳細な説明により、この分野で通常の知識を有する者にとって自明なものであり、発明の好ましい実施形態を開示する。
【発明の効果】
【００３２】
前述した説明から分かるように、本発明におけるダイバーシティー方法とＡＭＣ方法の効率的な結合及び運用に対して提案された方法は、各チャネル、即ち、ダイバーシティーチャネルとＡＭＣチャネルの各々の性能を最適化することができる。即ち、上記提案された方法は、ダイバーシティーチャネルを構成してダイバーシティーチャネルが時間軸上で、そして周波数軸で最大限広まっており、上記ダイバーシティーチャネルが使用する副搬送波を除いて残った副搬送波全てをＡＭＣチャネルが使用するように、ＡＭＣチャネルを構成する。また、上記副搬送波は互いに隣接していることで、ＡＭＣ送信効率を増加させることができる。したがって、本発明の好ましい実施形態を通じて、ＯＦＤＭ基盤多重接続方式を使用してデータを送受信する通信システムの容量の極大化に尽くすことができる。
【発明を実施するための最良の形態】
【００３３】
以下、本発明の好適な実施形態について添付の図面に基づき詳細に説明する。下記の説明では、本発明に従う動作の理解に必要とする部分だけ説明され、それ以外の部分は本発明の要旨のみを明瞭にするため、適宜省略する。
【００３４】
また、前述した背景技術の説明との一貫性を維持するために、下記で“ＡＭＣ技術”という用語を使用しているが、以下、図面を参考して説明されるチャネルの名称は、ＡＭＣチャネルに限定されるものでなく、他の等価の名称、例えば、周波数スケジューリング（Frequency Scheduling）チャネル、または地域化した副搬送波（Localized sub-carrier）チャネルと命名できることに留意されたい。併せて、ＯＦＤＭシステムは、ここで、本発明の好ましい実施形態が適用される通信システムとして使われるが、本発明の好ましい実施形態は、ＯＦＤＭAシステムは勿論、全周波数帯域を多数のサブ帯域に分割し、ＡＭＣ技術とダイバーシティー技術を利用できる全ての種類の通信システムに適用されることができる。
【００３５】
図３は、本発明の好ましい一実施形態に従いダイバーシティー技術とＡＭＣ技術を同時に運用する方法を示すフローチャートである。本発明の好ましい一実施形態に従うシステムは、ステップ３０１で、全システム帯域をＮ個のサブ帯域（sub-band）に分ける。各サブ帯域は、時間軸上で１つあるいは複数個のＯＦＤＭシンボルを含む。これを図４を参照して下記に説明する。
【００３６】
図４は、本発明の好ましい一実施形態に従い全システム帯域をＮ個のサブ帯域に分割する方法を示すフローチャートである。図４において、全システムの帯域が２０ＭＨｚであり、サブ帯域の個数Ｎは８と仮定する。全システムの帯域を図４に図示したように、８個の２．５ＭＨｚサブ帯域に分ける。上記各々のサブ帯域は、ＡＭＣ動作のためのＡＭＣチャネルの最小構成単位である。したがって、本発明の好ましい一実施形態に従うシステムにおいて、ステップ３０２では、１つまたは複数個の（または、全ての）サブ帯域が１つのＡＭＣチャネルをなして、各ＡＭＣチャネルは端末からフィードバックされる該当帯域のＣＱＩに従って動作する。図４を参照すると、上記ステップ３０１で、８個のサブ帯域は５個のＡＭＣチャネル（AＭＣ channel 1~5）を構成する。上記５個のＡＭＣチャネルの各々は、該当帯域の受信されたＣＱＩに従って動作する。
【００３７】
ステップ３０３で、本発明に従うシステムは、上記ＡＭＣチャネルを穿孔（puncturing）して、１つまたは複数個のダイバーシティーチャネルを作り出す。この際、１つのダイバーシティーチャネルを送信するために、複数個の中の１つ、または全ＡＭＣチャネルが穿孔（puncturing）される。ステップ３０４で、上記システムは、前述したステップ３０３でＡＭＣチャネルを穿孔（puncturing）して確保されたダイバーシティーチャネルに、ダイバーシティーモードで送信されるデータシンボルを割り当てる。以後、ステップ３０５で、上記システムは、各ＡＭＣチャネルに対して送信されるデータシンボルを各ＡＭＣチャネルで、上記のようにダイバーシティーチャネルの送信のために穿孔してから残った副搬送波に割り当てる。このような方法によりデータをローディングした後、上記システムは、ステップ３０６で、上記構成された少なくとも１つのダイバーシティーチャネルと少なくとも１つのＡＭＣチャネルを１つのＯＦＤＭシンボルとして送信する。
【００３８】
少なくとも１つのダイバーシティーチャネル及びＡＭＣチャネルを１つのＯＦＤＭシンボルから構成するためのステップ３０１乃至３０６の上記動作は、予め決まったスケジューリング周期毎に繰り返される。ここで、ステップ３０１、３０２の上記動作は、毎スケジューリング周期毎に繰り返される必要無しで、省略されることもできる。
【００３９】
本発明の好ましい一実施形態において、上記ダイバーシティーチャネルが割り当てられるＡＭＣチャネルの個数は、上記ダイバーシティーチャネルを受信する端末の個数に反比例し、上記ダイバーシティーチャネルが割り当てられる上記ＡＭＣチャネルの個数の増加は、該当ＡＭＣチャネルで穿孔された副搬送波の個数の増加をもたらす。即ち、ダイバーシティーチャネルのユーザの数がより少なければ、各ＡＭＣチャネルで少ない個数の副搬送波を穿孔してダイバーシティーチャネルを構成する。ダイバーシティーチャネルのユーザの数がより多ければ、上記各ＡＭＣチャネルで多くの個数の副搬送波を穿孔してダイバーシティーチャネルを構成する。ダイバーシティーチャネルに対するサブ帯域を別途に指定することもできる。
【００４０】
図５は、本発明の好ましい一実施形態に従いダイバーシティーチャネルとＡＭＣチャネルを共に送信する好ましい１つの方法を示す図である。
【００４１】
図５によると、Ｎ個のＡＭＣチャネルが送信されており、ダイバーシティーチャネルはＡＭＣチャネルを穿孔して形成されたチャネルを用いて送信されることが分かる。また、図５に示すように、ダイバーシティーチャネルの送信位置、即ち、ダイバーシティーモード方式により送信されるデータシンボルにマッピングされる（mapped）副搬送波の位置がＯＦＤＭシンボル毎にホッピング（hopping）していることが分かる。そして、３個の端末ＭＳ１、ＭＳ２、ＭＳ３のデータシンボルは、各々関連して決まったＡＭＣチャネルを介して送信されることが分かる。図５の例では、時間軸と周波数軸のみを例としたが、本発明の好ましい実施形態で提案するように、ＡＭＣチャネルを穿孔して構成されたダイバーシティーチャネルを送信する技術は、周波数軸上で多数の副搬送波に１つの変調シンボルを拡散して送信する、如何なるシステムでも適用できることに留意されたい。
【００４２】
図６は、本発明の好ましい一実施形態に従いダイバーシティーチャネルとＡＭＣチャネルを共に運用する場合、タイムスロットで副搬送波を割り当てる好ましい方法を示す図である。図６を参照すると、“タイムスロット（time slot）”とは、１つの送信単位または１つの情報ブロック（Information Block）のスケジューリング単位である。図６において、タイムスロット１、タイムスロット２、・・・、タイムスロットｎから送信されるＯＦＤＭシンボルは、周波数領域で観察したように、参照符号６０２、６０３、６０４と表示されている。参照符号６０２に図示したように、１つのタイムスロットにはＮ個のＡＭＣチャネルが存在する。全ての副搬送波はＮ個のサブ帯域に分割されて、１つのＡＭＣ帯域は１つまたは多数のサブＭＣ帯域から構成される。提案された方式の一例として、参照符号６０２に図示したように、最初のスロット区間６０１の間、全ての副搬送波がダイバーシティーチャネルに使われず、ＡＭＣチャネルに使われる。参照符号６０３は、サービスまたは端末にダイバーシティーモードで送信される副搬送波の一部分が、予め決まった穿孔パターンに従って穿孔される例を図示したものである。上記穿孔パターンは予め決まったホッピング規則に従って全てのスロットまたは全てのＯＦＤＭシンボル毎に更新されることができる。穿孔してから残った副搬送波は、ＡＭＣモードの送信のために使われて、利用できる副搬送波の個数が減少することを除いて、上記ＡＭＣモードの送信と一般的なＡＭＣモード送信との間には差がない。そして、ダイバーシティーモードで用いられる副搬送波の情報は、制御チャネルを介して端末に伝えられることができる。一方、参照符号６０４は、副搬送波が特定端末またはサービス観点からダイバーシティーモードで送信される例を図示している。参照符号６０４の例では、ダイバーシティーモードで用いられる副搬送波の個数が参照符号６０３の例に比べて増加する。
【００４３】
図７は、本発明の好ましい一実施形態に従う基地局のスケジューリング動作を示すフローチャートである。
【００４４】
図７を参照すると、本発明の好ましい一実施形態に従う基地局は、ステップ７０１で、ダイバーシティーモードに対するスケジューリングを遂行する。即ち、上記基地局は、ダイバーシティーチャネルへ送信するべきデータシンボルと、このために必要な副搬送波の個数とを決める。そして、上記基地局は、上記決定に従ってＡＭＣチャネルで穿孔するべき副搬送波の個数がどれくらいになるかを決定し、その穿孔位置を予め決まった規則に従って決定する。また、ステップ７０１で、上記基地局はダイバーシティーチャネルを構成し、上記ダイバーシティーチャネルの送信電力を決定する。
【００４５】
以後、ステップ７０２で、上記基地局は、各ＡＭＣチャネルを構成する少なくとも１つのサブ帯域に対するスケジューリング情報を収集する。例えば、上記基地局は、端末からフィードバックされた各ＡＭＣチャネルに対するＣＱＩ情報と、ステップ７０１で決まったダイバーシティーチャネルとを構成する。以後、上記基地局は、各ＡＭＣチャネル別に残った副搬送波の個数及び可用電力のような上記スケジューリング情報を収集する。以後、ステップ７０３で、上記基地局は、各ＡＭＣチャネルを構成する少なくとも１つのサブ帯域に対するスケジューリングを遂行する。上記スケジューリング過程は、各ＡＭＣチャネルに対してチャネル品質が最も良い端末を選択したり、またはこれを各端末へ送信するべきデータ量などを共に考慮することができる。
【００４６】
ステップ７０４で、上記基地局は、ダイバーシティーモード及びＡＭＣモードに対するスケジューリング結果に従いユーザデータを含むＯＦＤＭシンボルを構成し、上記構成されたＯＦＤＭシンボルを無線網へ送信する。ステップ７０５で、上記基地局は、上記ＯＦＤＭシンボルが送信されるダイバーシティーチャネル及びＡＭＣチャネルと、上記ダイバーシティーチャネル及びＡＭＣチャネルを受信する端末が必要な副搬送波情報を含む制御情報とを共に送信する。ここで、上記制御情報は、ダイバーシティーチャネルの副搬送波位置及びダイバーシティーチャネルを構成してから残った副搬送波を使用して構成されたＡＭＣチャネルの副搬送波送信位置を含む。以後、ステップ７０６で、上記基地局は、次のスケジューリングのために、上記ステップ７０１乃至ステップ７０５の動作を予め決まったスケジューリング周期毎に繰り返す。
【００４７】
図８は、本発明の好ましい一実施形態に従って、ＡＭＣチャネルからデータを受信する端末の動作を示すフローチャートである。図８を参照すると、端末の動作は、ステップ８０１、８０２の第１ループ（loop）とステップ８０３乃至ステップ８０６の第２ループを含む。
【００４８】
第１ループは、端末が基地局へＣＱＩ情報をフィードバックする動作である。上記端末は、ステップ８０１で、予め決まった規則に従ってダウンリンクのＣＱＩを測定した後、ステップ８０２で、測定されたＣＱＩ情報を基地局へフィードバックする。
【００４９】
ステップ８０３乃至ステップ８０６の動作に該当する第２ループにおいて、上記端末はＡＭＣチャネルを受信する。上記端末は、ステップ８０３で、基地局が送信した制御チャネルを復調する。復調の後、上記端末は、ステップ８０４で、ＡＭＣチャネルの復調が必要か否かを検査する。即ち、上記端末は、上記基地局が今度のデータ送信区間の間、該当端末にデータを送信したか否かを検査するものである。該当端末にデータが送信されない場合、端末は次のデータ送信区間に移る。しかしながら、仮に上記ステップ８０４で、該当端末にデータが送信されたと確認されれば、即ち、データチャネルの復調が必要な場合、ステップ８０５で、上記端末は制御チャネルからデータチャネル復調に必要な制御情報を得る。上記制御情報は、ＡＭＣチャネルの受信に必要な情報、例えば、ダイバーシティーチャネルの形成のために、副搬送波を穿孔してから残った副搬送波の位置を決定できるように、ＡＭＣチャネルの副搬送波位置情報などを含む。上記制御情報は、制御チャネルの他にも、その他の指定されたチャネルを介しても送信されることができる。ＡＭＣチャネルを復調するのに必要な制御情報を獲得した後、上記端末は、ステップ８０６で、獲得された制御情報を用いて、該当ＡＭＣチャネルを介して受信されたデータを復調する。上記ステップ８０３乃至ステップ８０６の過程は、上記端末がデータを続けて受信する場合に繰り返される。図８の一実施形態は、特定ユーザに対するデータの送信に有用である。
【００５０】
図９は、本発明の好ましい一実施形態に従いダイバーシティーチャネルからデータを受信する端末の動作を示すフローチャートである。
【００５１】
同様に、図９において、上記端末の動作は、ステップ９０１、９０２の第１ループとステップ９０３乃至ステップ９０６の第２ループを含む。図９で破線で表示されたステップは省略されることができる。
【００５２】
第１ループは、端末が基地局へＣＱＩ情報をフィードバックする動作である。上記端末は、ステップ９０１で、予め決まった規則に従ってダウンリンクのＣＱＩを測定した後、ステップ９０２で、測定されたＣＱＩ情報を基地局へフィードバックする。ステップ９０３乃至ステップ９０６の動作に該当する第２ループで、上記端末は、ダイバーシティーチャネルを受信する。上記端末は、ステップ９０３で、基地局が送信した制御チャネルを復調する。復調の後、上記端末は、ステップ９０４で、ダイバーシティーチャネルの復調が必要か否かを検査する。即ち、上記端末は、上記基地局が今度のデータ送信区間の間、該当端末にデータを送信したか否かを検査する。
【００５３】
上記ステップ９０４で、仮に該当端末にデータが送信されない場合、上記端末は次のデータ送信区間に移る。しかしながら、上記ステップ９０４で、仮に該当端末にデータが送信されたと確認されれば、端末はステップ９０５で、制御チャネルからダイバーシティーチャネルの復調に必要な制御情報を得る。上記制御情報は、ＡＭＣチャネルの受信に必要な情報、例えば、ダイバーシティーチャネルを構成する副搬送波の位置情報などを含む。上記制御情報は、制御チャネルの他にも、その他の指定されたチャネルを介しても送信されることができる。ダイバーシティーチャネルを復調するのに必要な制御情報を獲得した後、上記端末は、ステップ９０６で、上記獲得された制御情報を用いて、該当ダイバーシティーチャネルを介して受信されたデータを復調する。上記端末がデータを続けて受信する場合、上記ステップ９０３乃至ステップ９０６の過程が繰り返される。ダイバーシティーチャネル受信過程において、上記端末と上記基地局が予め特定副搬送波の位置で端末データを受信することに合意した場合、ステップ９０３及びステップ９０４の動作が省略されることができる。言い換えると、上記端末が自分に対するダイバーシティーチャネルの送信の可否を毎度決定しなくて、予め決まった時間の間、連続してデータを送信することに基地局と合意した場合に、上記動作は省略されることができる。図９の一実施形態は、リアルタイムトラフィックのように、予め決まったデータ量を連続して送信しなければならない場合に有用である。
【００５４】
図１０は、本発明の好ましい一実施形態に従う基地局送信機の構成を示すブロック図である。
【００５５】
図１０を参照すると、ダイバーシティーチャネル割り当て部１００１は、全システム帯域のうち、どの副搬送波へダイバーシティーチャネルを送信するか、即ち、どんな副搬送波でダイバーシティーチャネルを構成するかを決定する。ＡＭＣチャネル割り当て部１００３は、全システム帯域のうち、どの副搬送波へＡＭＣチャネルを送信するか、即ち、どんな副搬送波でＡＭＣチャネルを構成するかを決定する。制御部１００２は、ダイバーシティーチャネル割り当て部１００１からどの副搬送波にダイバーシティーチャネルが割り当てられたかを表す情報の入力を受けて、これに基づいてＡＭＣチャネル割り当て部１００３を制御してＡＭＣチャネルが構成される。即ち、制御部１００２は、ダイバーシティーチャネルが使用した副搬送波を除外した残りの副搬送波にＡＭＣチャネルが送信できるように、ＡＭＣチャネル割り当て部１００３を制御する。図１０を参照すると、ＡＭＣチャネル割り当て部１００３は、制御部１００２の制御下で、ＡＭＣチャネルが送信される副搬送波を決定する。
【００５６】
チャネル品質フィードバック受信部１００５は、各端末からダウンリンクのＣＱＩ情報を受信する。ＡＭＣチャネル受信端末決定及び転送率決定部１００４は、チャネル品質フィードバック受信部１００５から各端末が送信したＣＱＩ情報の入力を受けて、またＡＭＣチャネル割り当て部１００３から各ＡＭＣチャネルに使われる副搬送波の個数に関する情報の入力を受ける。受信された情報に基づいて、上記ＡＭＣチャネル受信端末決定及び転送率決定部１００４は、どんなユーザに各ＡＭＣチャネルを割り当てるか、そして、どんなデータ転送率を使用するかを決定する。ＯＦＤＭシンボル構成器１００６は、ダイバーシティーチャネル割り当て部１００１とＡＭＣチャネル受信端末決定及び転送率決定部１００４とから、ダイバーシティーチャネル及びＡＭＣチャネルに対する構成情報の入力を受けて、この２つの情報に基づいて１つのＯＦＤＭシンボルを構成する。ＡＭＣチャネルとダイバーシティーチャネルを用いてデータチャネルを構成する過程は、図４乃至図６の方法により遂行されることができる。最後に、ＯＦＤＭシンボル送信部１００７は、ＯＦＤＭシンボル構成器１００６で生成したＯＦＤＭシンボルを無線網に送信する。
【００５７】
図１１は、本発明の好ましい一実施形態に従う端末受信機の構成を示すブロック構成図である。図１１を参照すると、ダウンリンクチャネル品質測定器１１０１は、予め決まった周期毎にダウンリンクチャネルのＣＱＩを測定して、その測定されたＣＱＩをＣＱＩ送信機１１０２に出力する。上記ＣＱＩ送信機１１０２は、特定チャネルコーディング過程後、上記受信されたＣＱＩ情報を送信機へ送信する。データ受信動作において、制御チャネル復調器１１０３は、ダウンリンクからダイバーシティーチャネル及び／又はＡＭＣチャネルの受信のための制御情報が含まれた制御チャネルを受信する。データチャネル復調器１１０４は、制御チャネル復調器１１０３から受信された上記制御情報に基づいて、データチャネルを復調してデータを出力する。上記復調されたデータは、ダイバーシティーモードまたはＡＭＣモードなどを通じて送信されたパケットになる。
【００５８】
以上、本発明の詳細な説明の欄では、具体的な実施形態について詳述したが、本発明はこれに限定されるものではなく、本発明の範囲を逸脱しない限り、各種の実施形態が提供可能である。よって、本発明の真の技術的な範囲は上述の実施形態によって定まるものではなく、特許請求範囲とその均等物によって定まるべきである。
【００５９】
本発明の一実施形態の目的、特性、及び長所は、添付した図面と共に以下の説明により、さらに明確になるはずである。上記の図面において、同一な図面参照符号は、同一な素子、特性、及び構造を意味することが分かるはずである。
【図面の簡単な説明】
【００６０】
【図１】従来のＯＦＤＭシステムにおける好ましいＡＭＣ動作を示す図である。
【図２】従来のＯＦＤＭシステムにおいて、ダイバーシティー技術を適用してユーザデータ、あるいは共通制御情報を送信する好ましい方法を示す図である。
【図３】本発明の好ましい一実施形態に従いダイバーシティー技術とＡＭＣ技術を同時に運用する方法を示すフローチャートである。
【図４】本発明の好ましい一実施形態に従い全システム帯域をＮ個のサブ帯域に分割する方法を示すフローチャートである。
【図５】本発明の好ましい一実施形態に従いダイバーシティーチャネルとＡＭＣチャネルを共に送信する１つの方法を示す図である。
【図６】本発明の好ましい一実施形態に従いダイバーシティーチャネルとＡＭＣチャネルを共に運用する場合、タイムスロットで副搬送波を割り当てる方法を示す図である。
【図７】本発明の好ましい一実施形態に従う基地局のスケジューリング動作を示すフローチャートである。
【図８】本発明の好ましい一実施形態に従いＡＭＣチャネルからデータを受信する端末の動作を示すフローチャートである。
【図９】本発明の好ましい一実施形態に従いダイバーシティーチャネルからデータを受信する端末の動作を示すフローチャートである。
【図１０】本発明の好ましい一実施形態に従う基地局送信機の構成を示すブロック構成図である。
【図１１】本発明の好ましい一実施形態に従う端末受信機の構成を示すブロック構成図である。
【符号の説明】
【００６１】
１００１  ダイバーシティーチャネル割り当て部
１００２  制御部
１００３  ＡＭＣチャネル割り当て部
【図１】
2008541548.tif 000003
【図２】
2008541548.tif 000004
【図３】
2008541548.tif 000005
【図４】
2008541548.tif 000006
【図５】
2008541548.tif 000007
【図６】
2008541548.tif 000008
【図７】
2008541548.tif 000009
【図８】
2008541548.tif 000010
【図９】
2008541548.tif 000011
【図１０】
2008541548.tif 000012
【図１１】
2008541548.tif 000013
【国際調査報告】
2008541548.tif 000014
2008541548.tif 000015